(57)【特許請求の範囲】
【請求項１】
種々異なる放送施設からのテレビジョン信号および／またはラジオ放送信号を受信するための機器にて、テレビジョン放送プログラムおよび／またはラジオ放送プログラムに対して電子的プログラムタイムテーブルを作成する方法であって、
番組プログラム情報が、固有の放送施設および／または他の放送施設のビデオテキスト（テレビジョンテキスト）プログラム一覧ページにおけるプログラムデータとして送信され、ないしケーブル網に供給され、および／またはプログラム情報がラジオ放送に対する予告情報として送信され、またはケーブル網に供給され、機器の受信回路の同調を次のように行う：
ａ）受信されたビデオテキスト（テレビジョンテキスト）ページのプログラムデータ、またはラジオ放送信号と共に受信された番組プログラム予告情報のプログラムデータをデコーダによりデコードし、
テーブル状にリストアップし、
番組プログラムタイムテーブルメモリに記憶し、ディスプレイに表示し、
ｂ）それぞれのプログラムを特徴付ける少なくとも１つの受信された識別子を評価し、該識別子をリストでプログラムデータに割り当てて記録し、
ｃ）プロセッサ回路を用い、所定の配列アルゴリズムに従って書き込まれたプログラムによって、受信されたすべてのプログラムデータを所定の記憶基準に従って配列し、プログラムタイムテーブルに自動的に、または転送キーの操作後に記憶し、
ｄ）プログラムデータにより、プログラムタイムテーブルに自動的に配属された、受信チャネルのデータまたは放送局の受信周波数のデータを検出し、記憶し、
前記データは受信回路を放送番組に同調するために必要であり、
ｅ）同調データの検出を、相応のチャネルまたは相応の周波数への受信機器の選択的同調に依存して行い、
ｆ）同調データを表示し、または隠し、
ｇ）呼び出し装置の操作によって、記憶されたプログラムデータをプログラムタイムテーブルから呼び出し、ディスプレイにページ毎に所定の配列基準に従って表示し、
前記配列基準は記憶基準と異なっていてもよく、
ｈ）機器を放送局に同調するためにプログラムデータの表示列を選択し、
受信チャネルまたは周波数に配属されたデータを受信回路の同調回路に供給する、ことを特徴とする電子的プログラムタイムテーブルの作成方法。
【請求項２】
ａ）放送局から送信されたビデオテキストページ（テレビジョンテキストページ）またはプログラム情報ページを、含まれているプログラムテーブルまたはプログラム情報テーブルについて検査し、
ｂ）プログラム情報データまたはプログラム情報テーブルが検出されると、この中に指示されたプログラムデータを転送し、
ｃ）まだ記憶されていないプログラムデータであれば、このプログラムデータを配列アルゴリズムに従って追加し、すでに記憶されているプログラムデータであればこれに上書きするかまたは消去し、
ｄ）選択的同調によって、別の受信可能な放送局のビデオテキストページ（テレビジョンテキストページ）またはラジオ放送の場合はプログラム情報を同じように探索し、
プログラムに配属されたデータを前記方法ステップｂ）に従って配列し、プログラムタイムテーブルに同様に記憶し、
ｅ）プログラムデータをリストから、所定の時間、例えば１週間にわたって、番組プログラムデータに配属された送信日付データ（日付、日時）に基づいて検出する、請求項１記載の方法。
【請求項３】
プログラムの表示列には、連続番号または特徴符号が、表示されたプログラムデータに前置または後置されている、請求項１または２記載の方法。
【請求項４】
電子的プログラムタイムテーブルから選択されたプログラムを受信するために機器を同調することは、プログラムに配属された連続番号または識別子の入力によって、またはカーソル案内を実行する場合には、カーソルによるプログラム列の制御によって、また転送装置のキープレスによる転送命令の出力を介して行い、
プログラムを、プログラム表示に送信時間として示された時間に受信し、
選択されたプログラムがすでに放送されている場合にはこれを自動的に直ちに表示または再生し、
テレビジョン受信機の場合にはプログラムタイムテーブルを、表示の際に同じディスプレイに表示するか、または命令キーの操作によって初めて表示する、請求項３記載の方法。
【請求項５】
受信のために選択されたプログラムデータに付加的なスイッチオンデータをプリセットし、
該スイッチオンデータが画面に例えば“予選択”またはマーキングまたはプログラム列のカラー反転によってマークされて表示される、請求項４記載の方法。
【請求項６】
プリセットデータは優先データであり、当該データを優先調整装置の操作によってプログラムデータに配属し、
プログラムが重なるとき、または放送中のプログラムを受信するとき、優先データに依存して受信機を、優先度のあるプログラムを放送している放送局に同調回路で切り替え、または調整する、請求項５記載の方法。
【請求項７】
プロセッサ制御装置は、予調整によって選択されたプログラムデータまたは優先データの付されたスイッチオンデータを別のメモリにコピーし、
またはプロセッサ制御装置は、スイッチオンデータまたはプログラムデータに配属された優先データをプログラムタイムテーブルから問い合わせ、実時間データと比較し、
スイッチオン時間と実時間が一致する場合には、選択されたプログラムへの同調を行い、または同調回路で同調をトリガする、請求項５または６記載の方法。
【請求項８】
プログラムデータに、プログラム依存制御（ＶＰＳ制御またはＲＤＳ制御）のためのデータを配属し、
当該データを可視表示し、または隠して記憶し、
受信機が受信回路を１つしか使用しない場合には放送の受信中または再生装置が遮断されているときに連続的に、少なくとも所定の時間窓の間、予期されるプログラムの前に放送局をＶＰＳ信号またはＲＤＳ信号について監視し、
スイッチオン時点のシグナリングと共に受信データによって、プログラム依存制御によって特徴付けられたプログラムへの切り替えを行い、ないし当該プログラムの受信をスイッチオンする、請求項１または７記載の方法。
【請求項９】
２つの受信回路が１つまたは複数のプロセッサ回路により制御され、一方の受信回路をプログラム依存制御（ＶＰＳ，ＲＤＳ）の監視に用いる、請求項８記載の方法。
【請求項１０】
テレビジョン受信機またはラジオ放送受信機を使用する場合には、それぞれ提供される放送を、プログラムタイムテーブルからの別のプログラムの選択により、または別の放送局への切り替えにより、または提供された放送の終了により、またはＶＰＳシステムまたはＲＤＳシステムのプログラム依存制御データに依存して、時間制御して終了する、請求項１または８または９記載の方法。
【請求項１１】
プログラム終了が、時間満了したため、またはプログラム依存識別子により受信されない場合、プログラム終了プロセッサ制御により、プログラムタイムテーブルに記憶されたプログラムデータを自動的に消去する、請求項１または２または７記載の方法。
【請求項１２】
ビデオテキストページ（テレビジョンテキストページ）をサービスチャネルのデータによって、テレビジョン信号のデジタル伝送の場合には置換し、プログラムデータをプログラムタイムテーブルへ前記の方法に従って同じように転送する、請求項１または２記載の方法。
【請求項１３】
各プログラム列およびこれに示されたデータに付加的にロックデータを添付し、
プログラム列を、前置された識別子または置換された識別子または添付された識別子により、または相応のマーキングまたはカラー反転により、ロック信号の入力の際にロック信号入力装置の操作によって表示し、
ロックを正当なユーザーに既知のアクセスキーによってのみ中止可能とする、請求項１または２記載の方法。
【請求項１４】
カーソル案内とカラー識別された専用キーを用い、またはその他の識別子を用い、ブロックされたプログラムを表示し、プログラムがブロックされている場合には機器を、所定の時間でプログラムのスイッチオンに対してブロックし、または当該プログラムをスキップする、請求項１３記載の方法。
【請求項１５】
プログラムタイムテーブルメモリ内の表示されるデータ、または隠されたものも含めた全データは、機器のプリンターインターフェースを介してプリンタへ、プリンタ制御命令の入力の際にプロセッサ制御装置を介して出力される、請求項１から１４までのいずれか１項記載の方法。
【請求項１６】
プログラムタイムテーブルメモリ内のプログラムデータは、キーボードを介した相応の入力による任意の基準、または画面上でのユーザー案内による任意の基準に従って所定のように選択的に配列され、
配列されたデータは、選択された配列プログラムに相応して表示される、請求項１または２記載の方法。
【請求項１７】
プログラムタイムテーブルメモリのデータはインターフェースを介して、接続可能な機器内部のまたは機器外部の計算機に、転送命令の入力によって伝送され、
前記計算機は比較的に長いプログラムデータを比較的に長時間にわたって管理し、機器のプロセッサ制御部のプロセッサと共働して、プログラムタイムテーブルメモリにファイルされたプログラムデータを更新する、請求項１または２記載の方法。
【請求項１８】
プログラムタイムテーブルメモリは機器と接続可能なメモリであり、
該メモリは同じインターフェースを備えたいずれの機器とも、機器のプログラミングのために接続可能であり、
上書き可能なプログラムタイムテーブルメモリのデータは他の機器で更新され、または当該機器は新たなデータの上書きを禁止することができる、請求項１または２記載の方法。
【請求項１９】
プログラムタイムテーブルメモリのデータは周期的に少なくとも一日に一度、または常時更新され、
ビデオテキストページまたはプログラム情報ページから取り出された新たなデータを補充し、存在するデータを更新しないか、または上書きする、請求項１または１８記載の方法。
【請求項２０】
機器が遮断されている場合、または機器が通常の動作状態からスタンバイ動作へ切り替えられる場合、またはスタンバイ動作にある場合、プログラムタイムテーブルメモリのデータを更新し、または補充し、機器を遅延して遮断し、または遅延してスタンバイ動作に、プログラムタイムテーブルメモリのデータの更新中に切り替え、
前記遅延時間はプログラムデータの更新のための評価時間に相応し、またはデータの更新をスタンバイ動作中常時行う、請求項１または１９記載の方法。
【請求項２１】
データの更新中、機器の表示ディスプレイを遮断するのに少なくとも必要な回路要素が機能状態に留まる、請求項２０記載の方法。
【請求項２２】
プログラムタイムテーブルメモリからのデータをディスプレイに表示されるテレビジョン画面に連続的に表示し、またはディスプレイの選択された部分領域に表示する、請求項１または２記載の方法。
【請求項２３】
所定の配列プログラムの呼び出しによって、プログラムタイムテーブルメモリからのデータを再配列して表示し、
経過中のプログラムの呼び出しの際、または次の時間窓で、または日窓で受信可能なプログラムを表示する、請求項１または２または１６記載の方法。
【請求項２４】
プログラムデータをプログラム形式および／またはプログラム内容に従って付加的に配列し、
プログラムデータの呼び出しの際にプログラム形式およびプログラム内容、例えばスポーツプログラム、科学プログラム、音楽プログラム、娯楽プログラムおよびニュースプログラム並びに他のプログラム配列基準に従って配列し、表示する、請求項１または２記載の方法。
【請求項２５】
プログラムタイムテーブルメモリのプログラムデータは詳細なプログラム表示を呼び出すためのアドレスであり、
該アドレスは他のメモリにファイルされており、ページめくり機能のトリガによって詳細なプログラム表示が呼び出される、請求項１または２記載の方法。
【請求項２６】
テーマ領域に従って配列されたプログラムは受信に対するブロック信号の入力によって阻止され、中止信号の入力によってイネーブルされる、請求項２０または２１記載の方法。
【請求項２７】
機器を遮断状態からスタンバイ動作に切り替える際、または通常の動作状態で、機器は受信可能なすべての放送局をプログラムデータに従って問い合わせ、
プロセッサ制御部はプログラムタイムテーブルメモリのプログラムデータの更新を行う、請求項１または２記載の方法。
【請求項２８】
プログラムデータは少なくとも以下の符号化、または少なくともその一部を含んでおり、該符号化は全体でまたは選択的にプログラムタイムテーブルメモリに記憶されている、
−プログラムの記号
−プログラムの種類
−放送局の短縮符号、例えばＢＲ１
−ＶＰＳイネーブル（イエス／ノー）
−ＲＤＳイネーブル（イエス／ノー）
−プログラム開始時間
−プルグラム終了時間
−プログラム分類データ（音楽、娯楽、ニュース）
−ラジオ作動データ（相応に符号化された放送である場合に、ラジオ放送と共に伝送される識別信号に依存して更新または表示を制御するためのものである）
−プログラム説明データ、
請求項１または２記載の方法。
【請求項２９】
機器にて従来のプログラム選択と組み合わされており、
従来のプログラム選択またはプログラム選択またはプログラムの表示が前記方法に従って機器の動作に利用される、請求項１または２記載の方法。
【請求項３０】
テレビジョン受信機またはテレビジョン／ラジオコンビネーション受信機または画像および／または音声記録装置、アナログおよび／またはデジタル伝送放送を移動実施例または固定実施例で受信するための機器すべてにおいて、または多数のプログラムを記憶して有する機器、例えばＣＤプレーヤと関連して使用することを特徴とする請求項１から２９までのいずれか１項記載の方法。
【請求項３１】
プログラムデータはＣＤに記憶されており、ここから呼び出し可能であり、
前記プログラムデータはプログラムタイムテーブルの形態でリストアップされ、
プログラムタイムテーブルメモリに記憶されたプログラムデータがプロセッサ制御部を介して表示部に出力され、
ディスプレイとしての表示部は機器または接続された表示装置の構成部材である、請求項１から３０までのいずれか１項記載の方法。
【請求項３２】
受信機器には、チューナ、中間周波数増幅器および復調器を備えた受信回路（６）と、ビデオテキストデコーダ（１２）またはラジオ放送と共に伝送されたプログラム情報に対するデコーダとが設けられており、
前記プログラム情報は、将来の所定の時間間隔で放送されるプログラムに含まれるものであり、
伝送されたページに含まれるプログラムデータを記憶するための第１のメモリが設けられており、
マイクロプロセッサを有するプロセッサ制御部が設けられており、
前記マイクロプロセッサは、プログラムデータに受信チャネルのデータ、または放送局の受信周波数のデータを自動的に割り当て、
当該データは受信回路をプログラム番組に同調するのに必要なデータであり、
かつ前記マイクロプロセッサは、書き込まれたプログラムに従ってプログラムデータを第１のメモリから読み出し、当該プログラムデータを同調データと共に所定の配列アルゴリズムに従ってリストとしてプログラムタイムテーブルメモリ（１５）に呼び出し可能に記憶し、
機器の定置操作部（１７）またはリモコン操作部（１８）の相応の調整素子の操作により表示命令を入力することによって、プログラムタイムテーブルメモリ（１５）にファイルされているプログラムデータが、ディスプレイ（９）の表示手段に相応して、ページ毎にディスプレイの制御部に出力され、
ディスプレイ（９）は作成されたプログラム情報をページ毎に表示し、
プログラムデータ列を選択するための選択装置が設けられており、
機器の受信回路にはプログラムデータの選択に従って自動的に、受信同調を行うためチャネルデータまたは周波数データがプログラムタイムスロットメモリ（１５）から供給される、ことを特徴とする請求項１から３１までのいずれか１項記載の方法を実施するための回路装置。
【請求項３３】
ディスプレイは機器の構成部材、または評価を行う、実施回路構成部を備えた機器に接続可能な表示装置の構成部材である、請求項３２記載の回路装置。
【請求項３４】
実施回路構成部はビデオレコーダの構成部材であり、
該ビデオレコードには、テレビジョン受信機またはモニタが接続されており、
プログラムタイムテーブルに記憶され、バスを介して受信されたプログラムデータが画面ないしディスプレイに表示される、請求項３３記載の回路装置。
【請求項３５】
実施回路構成部は、ＶＰＳ信号を受信するためのテレビジョン受信機またはビデオレコーダの構成部材であるか、またはＲＤＳ信号またはその他のプログラムと共に放送施設から放送されたプログラムデータを受信するためのラジオ放送受信機の構成部材であり、
ディスプレイがラジオ放送受信機に設けられているか、またはテレビジョン受信機への接続部を有し、
該テレビジョン受信機の画面にプログラムタイムテーブルが表示される、請求項３３または３４記載の回路装置。
【請求項３６】
表示装置と評価装置との間に双方向性バスが接続されており、
表示装置または遠隔操作部からの命令を介して得られた命令が評価装置のプロセッサの制御のために入力され、
プログラムデータの表示が所定の選択基準に従って実行されるか、または再生または記録のためのプログラムデータの選択が行われる、請求項３４または３５記載の回路装置。
【請求項３７】
評価装置の操作フィールドまたはリモコン操作部には付加的な機能キーまたは調整素子が設けられており、
これらの操作の際にプロセッサ制御部のプロセッサに入力された所定のプログラムに相応して、プログラムタイムテーブルメモリのデータが所定の評価基準に従って表示される、請求項３２から３６までのいずれか１項記載の回路装置。
【請求項３８】
プロセッサ制御部は自動探索動作に対する同調回路を制御し、
自動探索動作で検出された放送局は、当該放送局の受信の際に得られたプログラムデータと共に記憶されるか、またはアクセスのためのアドレスが同調メモリに記憶され、
前記プログラムデータは放送局または未知の放送局に配属されているが、同じ放送施設から送信されたものであり、
前記アドレスの下に、発見された放送局が呼び出し可能であり、
プロセッサプログラムは未知の放送局のプログラムデータを同調データには割り当てない、請求項３２から３７までのいずれか１項記載の回路装置。
【請求項３９】
同調回路には放送局テーブルを備えたメモリが含まれており、
プロセッサ制御部は受信されたプログラムデータに基づいて放送局への割り当てを行い、
相応して、プログラムデータを相応する放送施設への割り当ての下でプログラムタイムテーブルメモリに記憶する、請求項３８記載の回路装置。
【請求項４０】
入力キーを介して、ディスプレイに表示されたプログラムタイムテーブルの連続番号の入力により、受信回路が選択された放送局へのプログラムデータの転送によって同調し、
プログラムが同時にまたは予調整の場合はプログラムデータに配属されたスイッチオン時点でスイッチオンされ、ないしプログラムが表示される、３２記載の回路装置。
【請求項４１】
受信回路はＶＰＳデコーダを有し、
プロセッサ回路はＶＰＳデータをプログラムデータに割り当て、ＶＰＳデータに依存して機器と時同期して、または所定の時間窓の間、受信回路も待機位置に切り替え、
プログラム受信への切り替え、ないし記録への切り替えを、ＶＰＳ符号化放送のスイッチオン信号が印加されたときに行う、請求項３２または４０記載の回路装置。
【請求項４２】
プログラムのプロセッサ制御回路が、プログラムタイムテーブルに入力された放送時間を評価し、
これに依存してプログラムが受信される放送局への同調回路の制御を実行する、請求項３２記載の回路装置。
【請求項４３】
経過するプログラムのスイッチオンの際に、プログラムタイムテーブルをディスプレイで自動的に表示し、経過するプログラムの受信された画像情報を表示する、テレビジョン受信機と関連した請求項３２記載の回路装置。
【請求項４４】
表示ディスプレイはカラー表示ディスプレイであり、
再生または記録のために予調整されたプログラムデータが選択命令または優先命令による選択の際にカラー反転され、
予選択または優先は種々異なるカラーによって反転され、またはプログラムの文字表示は別の色で行われ、
カラー識別が付加的データとしてプログラムタイムテーブルメモリに評価可能に共に記憶される、請求項３２から３４までのいずれか１項記載の回路装置。
【請求項４５】
評価回路は別個の受信回路を有し、
該第２の受信回路は経過する放送を受信するため、またはプログラム選択を介して同調された放送局を受信するために設けられている、請求項３２記載の回路装置。
【請求項４６】
機器には時間比較回路が設けられており、
該時間比較回路にて、実時間が設定されたスイッチオン時間および／またはスイッチオフ時間と比較され、
プログラムデータに配属されたスイッチオン時間および／またはスイッチオフ時間に依存してプログラムの表示または記録がスイッチオンおよび／またはスイッチオフされる、請求項３２記載の回路装置。
【請求項４７】
受信回路は、デジタル伝送されたデータに対する復調器を有しており、
サービスチャネルで伝送されるデータはこれがプログラムデータを含んでいれば、プロセッサ制御部によって評価される、請求項３２記載の回路装置。
【請求項４８】
受信回路は、地上波で、衛星を介して、またはチャネルを介して分割されて提供される信号を受信するための回路である、請求項３２記載の回路装置。
【請求項４９】
機器はプリンターインターフェースを有している、請求項３２記載の回路装置。
【請求項５０】
機器は、接続可能な計算機に対するインターフェースを有しており、
プロセッサは、プログラムタイムテーブルメモリに記憶されたデータまたはこれに記憶可能なデータを比較的に長い時間間隔にわたって伝送プログラムによって、接続された計算機に伝送する、請求項３２記載の回路装置。
【請求項５１】
発生器が機器に設けられており、
該発生器はプロセッサ制御装置によって制御され、探索動作をすべての受信領域を通して、連続的にまたは非連続的にまたは所定の時点で、または機器（スタンバイ）の動作回路に依存して、全動作スイッチオン／スイッチオフに作用し、
受信されたプログラムデータが評価され、プログラムタイムテーブルにプロットされ、そこにプロットされたデータが上書きされるか、またはすでに記憶されたデータが転送されない、請求項３２記載の回路装置。
【請求項５２】
機器に、プログラムタイムテーブルを、連続的に受信される放送の表示テレビジョン画像からフェードアウトするためのフェードアウト回路が設けられている、請求項３２記載の回路装置。
【請求項５３】
切換スイッチが操作フィールドに設けられており、
該切換スイッチは受信回路の動作をチャネル選択からプログラム選択に切り替える、請求項３２記載の回路装置。
【請求項５４】
プログラムタイムテーブルメモリは消去可能書き込み／読み出しメモリ（ＲＡＭ、ＥＥＰＲＯＭ）である、請求項３２記載の回路装置。
【請求項５５】
書き込み／読み出しメモリは機器に装入可能な交換メモリである、請求項５４記載の回路装置。
【請求項５６】
交換メモリはプロセッサおよびメモリを有するチップカードである、請求項５５記載の回路装置。
【発明の詳細な説明】
本発明は、種々の放送局またはプログラム搬送波のテレビジョンプログラムおよび／またはラジオプログラムを受信するための機器にて、テレビジョンプログラムおよび／またはラジオプログラム・タイムテーブルを作成するための方法およびこの方法を実施するための装置に関する。
放送タイムテーブルからは、受信個所で受信可能な個々のプログラムないし放送番組を読み取ることのできる。これはテレビジョン放送に対しても、ラジオ放送に対しても文書の形態は周知である。
さらにビデオテキスシステムの導入以来、プログラムと共にビデオテキストページを送信する放送局が当日または翌日のプログラムに関する番組プログラムページから長時間の番組情報までを一緒に送信していることは公知であり、これらの情報をビデオテキスト受信器を有する視聴者は受信し、記憶し、選択的に表示することができる。このようにしてユーザーは常に、それぞれ選択した放送局の番組案内を更新することができ、その放送局が他の放送局の番組案内も送信している場合には、これも同じように受信機器のディスプレイに表示することができる。受信機器として通常は、テレビジョン受信器またはテレビジョン受信器と接続することのできるビデオレコーダが使用される。したがってテレビジョン受信器の大画面をプログラムテーブルの表示に使用することができる。これは、ビデオテキストデコーダがテレビジョン受信器に組み込まれている場合にも当てはまり、同じことがバス線路を介して接続されたテレビジョン受信器の画面に表示されるビデオレコーダにも当てはまる。ビデオテキストシステムは、以下テレビジョンテキストと称する、は刊行物“Rundfunktechnische Mitteilungen”,1983,116-134ページに記載されている。その他にビデオレコーダを、ビデオテキストないしビデオテキストトーブルによって伝送された番組案内に依存してプログラミングすることが公知である。このプログラミングは、例えば２５行の登録とプログラムデータを有する番組案内からそれぞれのプログラムを選択し、これによってビデオレコーダを制御するようにして行う。選択されたプログラムデータはビデオレコーダのメモリに記憶され、ビデオレコーダのプロセッサによって監視される。これによって、プログラムデータに割り当てられたスイッチオン時間とスイッチオフ時間にビデオレコーダの時間に依存した制御が行われる（ＶＰＶ法、“Rundfunktechnische Mitteilungen”,1986,223-229ページに記載）。この方法は、スイッチオン時間とスイッチオフ時間が個別に入力される他の操作方法と同じように、ビデオテキスト・プログラムデータの他にＶＰＳデータ、すなわちプログラム依存制御のためのデータが放送局から共に伝送される場合だけ可能である。プログラミングの際に、ＶＰＳデータが入力されると、またはこれがすでにビデオテキストページの番組案内に明示されていれば、スイッチオンされたビデオレコーダの制御が、プログラムに依存して伝送されたプログラムデータに依存して行われる。これによって、実際のスイッチオン時間に依存しないで、番組開始が時間的にずれた場合でも、番組の記録が番組放送の実時間で行われ、スイッチオフも同じようにＶＰＳ信号を介して制御して行われる。この方法は、“Rundfunktechnische Mitteilungen”,1985,161-169ページに記載されている。
予約プログラミング、例えばビデオレコーダによる録画のためには、ユーザーはビデオテキストページを共に送信する個々の放送局のビデオテキストページを検査しなければならないことがわかる。すなわち、ユーザーはプログラミングに際してこれを行うために種々異なる入力チャネルを切り替えなければならない。たとえ個々の放送局が他の放送局から同じように番組案内をビデテキスト・プログラムテーブルによって伝送する場合であっても、ユーザーの負荷は軽減されず、プログラミングを行うためには、まず同じように番組案内を行うすべての放送局を呼び出さなければならない。さらにユーザーは、所定の時間、例えば数時間後または翌日または次週の（受信地で受信可能な放送局が放送を予定している）すべての番組に関する案内を得るのではない。そのためにはユーザーは周知のように、番組が表形式で放送局に割り当てられてリストアップされている文書の番組タイムテーブルを見るのである。ユーザーの受信機器を相応の地上放送局または衛星放送局またはケーブルチャネルを介して受信された放送局に同調するためにはユーザーは、チャネル番号、またはラジオ放送の場合には機器の周波数を調整して、所望の番組を受信できるようにしなければならない。ビューショウ法にしたがって番組タイムテーブルからのキー数字を入力することによりデコードされたデータを用いてプログラミングすることも可能である。
ＤＥ３０３１５２７Ｃ２から、受信側で高周波電気振動のために英数字局表示する方法が公知である。この方法によれば、別に不揮発性メモリに出力識別子および放送局立地番号を有するテーブルが放送局立地個所の幾何学的分布に相応して記憶されており、放送局名に対するテーブルに放送プログラムと放送局周波数が割り当てられている。この放送テーブルは受信周波数および比較に基づいて立地番号に相応して受信器に記憶された識別データと比較され、テーブルデータが英数字で表示される。本発明ではプログラムとも称する放送番組は個別に示されず、放送局短縮符号および放送局の立地個所、並びに場合によっては放送局立地番号、出力識別子と周波数が示される。
この従来技術から出発して、本願発明の課題は、電子タイムテーブルの形態の新種のプログラムタイムテーブルを提供し、さらにこれを作成する方法を提供することである。これによりユーザーは画面に一覧する形で、所定の期間内に提供されるプログラムおよび／または当地で受信可能なプログラムをすべて見ることができる。またプログラムがどの放送局からのものであるかに関係なく、相応の放送局の選択を従来のように、または記憶されているプログラムデータを使用して直接行うことができる。
この課題は本発明により、請求項１に記載の手段によって解決される。本発明の方法を実施するための回路は請求項３１に記載されている。
プログラムデータに基づいてプログラムを直接選択するという別の課題は、本発明の従属請求項に記載の構成によって解決される。
有利な方法ステップは請求項２から３０に詳細に記載されている。本発明を実施するための回路の実施例は請求項３２から５５に記載されている。従属請求項に記載された手段によって本発明の方法および回路の有利な実施例が可能である。
本発明の方法によって、電子的なプログラムタイムテーブルを受信機器で作成し、更新することができる。これによりユーザーは、放送施設からの実際の番組提供について情報を得ることができ、ビデオテキストページまたはその他のプログラム情報データから作成され、放送施設に割り当てられた番組提供を種々の基準にしたがって配列することができる。最も簡単な基準は、現在受信可能な個々の放送施設のプログラムのリストアップである。別の基準は、次の数時間で提供されるプログラムの呼び出しである。すなわち、受信地で受信可能なすべての放送局から、チャネルを切り替える必要なしにビデオテキストページを、例えばテレビジョン伝送の場合、視覚的に評価するか、またはこのような概観的プログラムテーブルが期待されなければならない。したがってユーザーは自動的に常時、提供番組について更新された一覧を得る。リストアップは、プログラムタイムテーブルメモリの容量に応じて、週刊プログラムの一覧で更新されるが、月刊さらにはもっと長い期間で更新することもできる。このことはそれぞれ、どの程度の容量でプログラムデータが時間に依存して放送施設から共に送信されるかによる。このことは、ラジオ放送で共に送信されるプログラムデータに対しても当てはまり、このプログラムデータはプログラムに対する予告データを含む。プログラムデータと共に送信された放送データ、つまり開始と終了に日時に対して、もちろんこのようなデータを記録制御に使用することができる。このことはＶＰＳデータまたはＲＤＳデータを機器の記録制御または再生制御のために使用する場合にも当てはまる。さらなる指示基準として、番組内容を用いることもできる。これは、相応の識別子が共に伝送される場合である。この識別子は例えば、番組が音楽放送か、教養番組か、スポーツ番組か、ニュース番組であるかを示す。相応の識別子はテレビジョン放送に対しても、ラジオ放送に対しても取り決められており、放送施設から部分的にはすでに伝送されている。このようにして、受信されたプログラムデータに基づいて所定の基準への割り当てをプログラム制御によって行うことができる。さらに本発明により、任意の割り当てを、操作キーを介して例えば“音楽放送”を入力することによって行うことができる。相応の構成されたコンピュータプログラムはその際に、プログラムタイムテーブルにリストアップされたすべてのプログラムをその規準に従って統合する。このことは、記憶の前またはデータをプログラムタイムテーブルから読み出す際に行う。これは、プログラムが例えば音楽放送として特徴付けられており、および／または選択できる場合である。ソート基準のリストは任意に延長することができる。ここに示した基準は単なる例であり、１つの可能性とみなすべきである。プロセッサ制御に組み込むべきソートプログラムはこの要請をそれぞれ正しく評価することがわかる。
本発明はさらに初めて、完全に新規の同調方式を提供する。この同調方式では、従来技術で公知のように１つの所定のチャネルへの同調が行われるのではなく、プログラム選択に依存して行うことができる。プログラムに対してここでは、それぞれ時間的に制限された個々の放送番組がある。ユーザーは見たいまたは聞きたいプログラムを選択するだけである。このプログラムが開始すると直ちにスイッチオンされる。その他の場合は、予約が記録され、自動的にプログラムデータのスイッチオン時点でこのプログラムに切り替わる。その際にロック回路を設けることができる。これにより経過するプログラムを見ているときに予約プログラムへの切り替えが行われない。とりわけ優先して表示または記録すべき放送であれば、経過する表示または記録が中断され、優先度のあるプログラムデータが同調に使用され、相応のプログラムが表示または記録される。さらに本発明は簡単な児童保護を提供する。これにより、例えば児童に有害なプログラムを簡単に阻止することができる。したがってユーザーは、前もって所定の時間にわたってすべてのプログラム（例えば児童に見せたくない）をマークすることができる。このプログラムのマーキングは表示の際にこのプログラムへの同調を、ブロックコードを知らない者に対して不可能にする。ブロックコードまたは所要の中止コードを入力したユーザーだけがマーキングされたプログラムに自由に切り替えることができる。プログラム・ロックはブロックで、すなわち複数のプログラムをまとめて行うことができる。しかし次に表示または記録される各個別のプログラムに関して行うこともできる。個々の方法ステップに従ってこれらの機能を果たす機器には、所要のコンピュータおよびメモリを有するプロセッサ制御部を設けなければならないことがわかる。ここでプロセッサ制御部のプログラムは、方法ステップで提供されるそれぞれの機能を実現するように開発することも自明である。
本発明の方法を実施するための回路はいずれの場合でも常に、受信され、デコードされたデータを検査して、プログラムデータがビデオテキストページから取り出されたものか、または将来の放送への予告で個別データとして放送局から送信されたかを判断する。このことはテレビジョンプログラムまたはラジオ放送プログラムを含むプログラムデータに対しても当てはまる。本発明の方法および評価のための回路装置は。両方の場合で同じである。プログラム担体がＣＤディスクプレーヤ、例えばマルチディスクプレーヤであれば、個々の記録された曲またはフィルムまたは個々のＣＤの開始部でプログラムを紹介する記録データはプログラムデータとみなされ、同じようにリストアップされる。これにより、記録された画像データまたは音声データの連続的選択を、プログラムタイムテーブルを用いて行うことが可能である。ＣＤディスクプレーヤの場合は、同調回路が制御されるのではなくプログラムデータに依存してディスクおよびトラックが走行機構によって制御される。このプログラムデータはプログラム情報に相応する。
個々のプログラムのショートマークの他に詳細なプログラム説明を受信し記憶した場合には、プログラムデータをメモリのアドレスを呼び出すために同時に使用することができる。プログラムデータには補充的説明が記憶されており、これによってユーザーはそれぞれの番組、すなわちテレビジョンショーまたは映画または音楽等のプログラム内容についてグラフィカルに情報を得ることができる。ユーザーはこの情報を選択の前に、当該プログラムを表示させたり、記憶したりすることができる。これもまた、電子的なプログラムタイムテーブルを介して可能である。
本発明を以下、図１の受信機の実施例に基づき説明する。図２には、テレビジョン機器の画面に表示される電子的なプログラムタイムテーブルの例が示されている。
図１のブロック回路図には概略的に、評価回路を有する受信機が示されている。評価回路は本発明の方法を実施するための回路装置である。ブロック回路図には、参照符号１で地上波テレビジョン信号および／またはラジオ信号を受信するためのアンテナが示されている。２は衛星受信装置であり、３はケーブル網への接続であり、端子４は大容量メモリ、例えば多数のＣＤを有する音楽コンピュータのプロウｇｒａｍｕｎｏ入力側である。このＣＤから取り出された信号が搬送波により変調され伝送される。個々の端子は選択スイッチ５を介して受信回路６に入力結合される。受信回路６はチューナ、中間増幅段、並びに復調器からなり、チューナはそれぞれの放送周波数に同調される。出力側Ａには復調された信号が出力される。この信号は機器の別の信号処理段８に供給される。テレビジョン受信機の場合は、これは画像および音声処理回路であり、破線で示した出力側１０、１１を介して受像管９ないしスピーカ２０に供給されている。ここで信号制御は、プロセッサ制御ユニット１４により制御線路２１を介して入力される機能調整値に依存して行われる。機能調整値は機器自体のキーボードによって、またはリモコン操作装置によって入力することができる。
機器が放送信号、例えばＲＤＳ信号またはＤＳＲ信号または音楽信号を受信する機器である場合、信号処理回路８は専ら音声信号処理段からなる。ここで音声は複数のスピーカ２０を介して出力される。受信された信号の記録手段はここでは簡単にするため図示しない。評価回路と共に実装された放送受信機は、比較的に大きなディスプレイ、例えば平面ディスプレイまたは小さな受像管を機器に有するか、またはテレビジョン受信機に対する端子を有し、テレビジョン受信機の画面に本発明の方法によって作成されたデータを表示することができる。この理由から、線路１０は破線泥示してある。一方線路２２は実線で示してある。本発明の評価回路は実施例では、ビデオテキストデコーダ１２ないしデコーダを有する。デコーダはプログラムデータを提供されたデータパケットから選別する。テレビジョン信号の場合は、これはビデオテキストページであり、テレビジョン信号をデジタル伝送する場合にもサービスチャネルで同じように送信することができる。これは現在の規格で、信号伝送の際にビデオ信号および音楽信号に付加するのと同じである。これに対して純粋な放送受信機の場合は、取り出されたプログラムデータはＲＤＳデータまたは他のプログラムデータとすることができ、これらデータは予告プログラム表示に対して提供される。デコーダ１２はこれらデータを取り出しろ波し、適切なプロセッサを使用して表示可能な符号に変換する。このデコーダはページまたは個々のプログラムデータを別個の固有メモリに記憶する。すなわち、これらを提供されたようにする。プロセッサ制御回路１４は同調制御回路１３を介して設置箇所で受信可能なすべての放送局への同調を行う。これは例えば、機器をスイッチオンする際に、受信可能なすべての放送局を検出する探索動作によって行う。この過程は非連続的に、ビデオテキストまたはＲＡＭデータ受信機１２のメモリのデータをリフレッシュするために繰り返され、また１つのチャネルから別のチャネルに切り替える際、または機器の遮断の際に実行される。いずれの場合でも同調中に、プログラムデータを含む情報ページが受信され、ビデオテキストデコーダから転送される。この転送はまた、リモコン操作装置１８または設置走査部７の特別の転送キーの操作によってトリガすることができる。さらに、プロセッサ制御回路は別の書き込まれたプログラムによって、放送局から受信されたプログラムデータの新たな配列を行い、これを所定の基準に従って配列する。この基準は例えば、所定の放送局（例えばＡＲＤＩ，ＲＴＬ）のすべてのプログラムすなわち放送番組を一週間または一日または一ヶ月にわたって配列表示すること、であってもよい。これによってユーザーは、どの週のどの時間にどの放送局からどのプログラムが放送されるかについて直ちに一覧を得ることができる。リスト長およびリスト内容はそれぞれのプログラムデータに依存する。前記プログラムデータは個々の放送局から所定の時間にわたって予告情報として提供されたものである。このようなリストが作成されたなら、プログラムデータがプログラムタイムテーブルメモリ１５に記憶される。これらのデータは常時更新される。これは前にすでに述べたのと同じである。すなわち、非連続的または連続的な探索動作によって予告情報に対する新たなプログラムデータを先ずデコーダ１２によってデコードし、記憶し、プロセッサ制御回路１４が書き込まれたプログラムに従ってこれらのデータを新たなデータとして転送するか、またはメモリ１５にすでに存在するデータに上書きし、データが同じ場合には上書きが行われない。これらのデータにはもちろん、スイッチオン時点および場合によりスイッチオフ時点、並びにビデオテキストシステムから到来したデータの場合にはＶＰＳデータが含まれる。これらによって接続された機器または機器自体ないし記録がＶＰＳデータに依存してスイッチオンおよび／またはスイッチオフされる。これらの評価回路はここに述べたように、、もちろん完全に同じ構成でビデオレコーダに使用することができる。この場合は、受像管９を有する接続されたテレビジョン機器が表示機器として使用される。
プログラム番組のリストが前記のように作成されていれば、コンピュータプログラムも、どのプログラムデータが更新されたかを監視できる。すなわち、タイムテーブルによって相応のプログラムが存在していないことを監視できる。したがって、リストは常に、更新されたプログラム指示を導く。この理由から、プログラムタイムテーブルは電子的タイムタイムテーブルとして常に更新され、プログラムシーケンス、または放送作品の短期間の転換の際にユーザーはこれについての一覧を得ることができる。このことは週刊で発行される印刷プログラムタイムテーブルに基づいては不可能である。なぜなら、プログラムタイムテーブルがすでに放送の始まる前の週に印刷され配達されているからである。電子的プログラムタイムテーブルにより、後からの更新が可能である。個々のプログラム情報に更にテキストまたは画像基礎構築が加わるならば、これらを別のメモリに記憶することができる。操作フィールド１７またはリモート操作部１８の情報キーの呼び出しの際に、プログラムデータは補充的にファイルされたプログラム説明の呼び出しのためのアドレスデータとして使用される。このプログラム説明は受像管９の画面に同じように表示される。さらに本発明は、他の制御プログラムにしたがってプロセッサ制御回路が相応の入力命令によってリモコン操作部１８ないし設置操作部１７のキーを介してプログラムタイムテーブルメモリ１５のデータを再ソートするように構成されている。この再ソートは、例えば１週間、当日または当月のバイエルン放送のプログラム番組すべてを表示するようにして行う。別の配列基準も同じように入力することができる。例えば純粋な音楽放送の選択、ニュース放送の選択等である。相応の選択基準はユーザーの習慣に相応してコンピュータプログラムによって適合される。制御のために、リモート操作装置１８により受信された遠隔操作命令が受信機２３によって処理され、プロセッサ制御回路１４に供給される。
本発明の評価回路はそれ自体閉じたユニットとして示されていることがわかる。このユニットは種々の娯楽電子機器に使用することができる。例えば、大画面ディスプレイをすでに有し、公知のようにその中にビデオテキストページを２０または２５ライン表示することのできるテレビジョン受信機に使用することができる。しかしこのユニットはビデオレコーダにも設けることができる。今場合データは機器の固有のディスプレイか、または接続されたテレビジョン機器に表示される。このテレビジョン機器は記録放送の再生に用いる。このような受信機の場合、プロセッサ制御ユニット１４はさらに、メモリ１５のプログラムデータを更新するプログラムを有するだけでなく、個々の放送局ないしチャネル（個々のプログラムデータに所属して記憶される）に所属する周波数を検出する。これにより、全く新しい同調システムを本発明により実現することができる。これにより、チャネルに同調するだけでなく、ユーザーはプログラムタイムテーブルに基づいて、プログラムを予調整したり、現在経過中のプログラムから自分の希望する他のプログラムに切り替えることができる。その際にユーザーは、放送局から現在どの放送が送信されているか、またどのプログラムが現在受信されているかを知るために、チャネルを切り替えることによって更新されたプログラムの一覧を見る必要はなく、また所定の放送局のプログラム一覧表を呼び出す必要もない。
電子的プログラムタイムテーブルを用いれば、個々のプログラムライン、例えば前もって設定された連続番号またはカーソル案内によって、受信回路をそれぞれの放送局に同調することができる。このことは、リモコン操作装置１８を用いてカーソル運動を行い、カーソルによってマーキングされたそれぞれのラインを転送することによって行われる。このようにして受信機は、プログラムに所属するチャネルまたは周波数に同調される。プログラムデータ、スイッチオンデータまたはプログラム説明データまたは前置された番号はもちろん隠して記憶することができる。したがって、プログラムデータないしプログラムデータの一部、例えばプログラムの説明が入力されているプログラムラインだけを呼び出すことによってスイッチオンすることができる。所要の制御データはこれによって自動的に共に呼び出されるが、しかし表示されない。相応のユーザー案内はここでは制限とはならない。表示されるデータ量はたんに画面の表示能力に依存するだけである。
図２には、電子的プログラムタイムテーブルのページの一部が示されている。このタイムテーブルは例えばテレビジョン受信機の画面に表示される。ここからわかるように、連続番号０１の付された最初の列にはバイエルン放送IIIのプログラムが示されている。プログラム番組ないしプログラム自体は“Musikstadel”という題を有する。この放送の開始は２０：１５であり、予定では２１：３０に終了する。画面１９の上側のコーナーにはさらにデータが示されている。ここで選択された配列基準では、１時間のすべての放送が表示され、時間はこの実施例では開始時間として示されている。連続番号０２にはWDRIの相応するプログラムが、第３列にはNRIIIのプログラムが、第４列にはARDIのプログラムが示されている。ユーザーが例えば“Waterkant-放送”を見たい場合には、ユーザーは単に短縮符号０３を入力するだけでよく、相応するプログラムが選択される。ユーザーはその際に、NRIIIが同調装置１３の同調メモリのメモリスペース３または２５に記憶されているか否かを知る必要はない。この割り当ては装置が自動的に行う。同じことが放送“Reisequiz”についても、これが呼び出されれば当てはまる。呼び出し自体は連続番号入力によって行われる。またカーソル案内により行うこともできる。このためには、リモコン操作装置１８の相応の操作キーが操作されたときに表示ラインが次の表示ラインに切り替わるように構成する。別の制御命令に入力によって、相応するプログラムデータが転送される。設定時間が実時間と一致する場合、および放送が行われている場合には、プログラムは自動的に切り替えられる。したがって、配列プログラムを設けることもできる。この配列プログラムは放送中の放送だけを表示し、例えば残りの放送時間やすでに放送した時間を示し、ユーザーはこの放送中のプログラムを最後まで見た方がいいか、否かの情報が得られる。これらの選択基準はすべてユーザー案内を介して例えば基準カタログから呼び出すことができる。図１のメモリ１５にファイルされたデータはその後直ちに配列され表示される。メモリ自体の再記憶を行うことも可能である。しかし有利には、バッファメモリを介して再構築が行われるようにソフトウェアを構成し、バッファメモリが選択基準に相応してメモリ１５からのデータを選択表示のために処理するようにする。このようにして簡単に一覧プログラムタイムテーブル（所定の配列システムに従ってプログラムタイムテーブルメモリ１５に記憶されている）に再アクセスすることができる。
本発明は、所定の時間に高周波受信されるプログラム番組の受信情報に制限されるものではない。本発明は例えば、多数のＬＣＤを有する音楽コンピュータと関連して使用することもできる。これによりユーザーは個々のプログラムないし記録された音楽または映画に関する一覧を得ることができる。これに基づきユーザーは所望のものを選択することができる。プログラムに配属された個々のデータはプログラムタイムテーブルの場合と同じようにしてメモリ１５に記憶される。データが高周波搬送波によって変調されていなければデータを、復調器に後置された信号処理回路に直接供給することができる。このことは図１に端子７によって示されている。
【図１】
0003732511.tif 000002
【図２】
0003732511.tif 000003